(57)【要約】【課題】設置、修理、又は保守管理を改善する、複合式洗浄／乾燥ステーションを提供する。【解決手段】ステーションは、ユーザの手を洗浄する水を排出するための水出口を備え、水出口は、給水本管に接続される。ステーションは、ユーザの手を乾かす空気流を排出する空気出口を備える。空気流は、主電源に接続されたブロワモジュールにより発生される。主電源への接続は、連結ユニットを介して行われ、連結ユニットは、主電源に配線で接続される。ブロワモジュールは、連結ユニットの電気コネクタに接続してブロワモジュールのモジュール交換を可能にする電気コネクタを備える。給水本管への接続は、給水本管に配管される、同じ又は別の連結ユニットを介して行われる。流量制御弁は、それぞれの連結ユニットに設けられ、連結ユニットにおいて給水本管を遮断する。流量制御弁の入口ポートは給水本管に接続され、流量制御弁の出口ポートは水出口に接続される。【選択図】図３
2014108360.tif 000002
【特許請求の範囲】
【請求項１】
洗面所用の複合式洗浄／乾燥ステーションであって、前記ステーションは、ユーザの手を洗浄する水を排出するための水出口を備え、前記水出口は、給水本管に接続され、前記ステーションは、ユーザの手を乾かす空気流を排出するための空気出口を更に備え、前記空気流は、電動ファンユニットを備えたブロワモジュールにより発生され、前記ブロワモジュールは、主電源に接続され、前記主電源への接続は、連結ユニットを介して行われ、前記連結ユニットは、前記主電源と、前記連結ユニットの電気コネクタに接続して前記ファンユニットに電源を供給する電気コネクタを含むブロワモジュールと、にハードワイヤーされ、前記給水本管への接続は、同じ又は別の連結ユニットを介して行われ、前記連結ユニットは、前記給水本管に配管されるとともに流量制御弁を含み、前記流量制御弁の入口ポートが、前記給水本管に接続され、前記流量制御弁の出口ポートが、前記水出口に接続される複合式洗浄／乾燥ステーション。
【請求項２】
前記連結ユニットの前記電気コネクタは、前記コネクタ上の通電端子との偶発的な物理的接触を低減するために覆い隠された電気コネクタである、請求項１に記載の複合式洗浄／乾燥ステーション。
【請求項３】
請求項１に記載の前記複合式洗浄／乾燥ステーションで使用される連結ユニットであって、前記連結ユニットは、主電源と、給水本管に配管可能な流量制御弁とにハードワイヤーすることができる電気コネクタを備える連結ユニット。
【請求項４】
前記連結ユニットの前記電気コネクタは、前記コネクタ上の通電端子との偶発的な物理的接触を低減するために覆い隠された電気コネクタである、請求項３に記載の連結ユニット。
【請求項５】
前記連結ユニットは、１つ又はそれ以上の電気構成要素を備え、前記電気構成要素は、前記連結ユニット内の密封された区画内に配置される、請求項３又は４に記載の連結ユニット。
【請求項６】
前記密封された区画は、前記区画内にアクセスするために取り外すことができる、取り外し可能なフロントカバーにより、一部が形成される、請求項５に記載の連結ユニット。
【請求項７】
アクセスパネルは、前記フロントカバーを取り外すことなく前記流量制御弁にアクセスできるように前記フロントカバーに設けられる、請求項６に記載の連結ユニット。
【請求項８】
前記流量制御弁は、前記密封された区画内で低電圧コントローラに接続される電磁弁である、請求項７に記載の連結ユニット。
【請求項９】
請求項１に記載の複合式洗浄／乾燥ステーションで使用され、請求項３から８のいずれかに記載の連結ユニットを備える装置であって、前記装置は、空気流を発生するためのブロワモジュールを更に備え、前記連結ユニットの前記電気コネクタは、前記ブロワモジュールの電気コネクタに対して取り外し可能に接続されて、前記ブロワモジュールのモジュール交換を可能とするように構成される装置。
【請求項１０】
前記装置は、水出口を有する水分配部と、空気出口を有する空気排出部とを備え、前記ブロワモジュールは、前記空気出口を経由して空気流を供給するように前記空気出口に接続可能になっており、前記流量制御弁の出口ポートが、前記水出口に接続するように構成される、請求項９に記載の装置。
【請求項１１】
前記水分配部及び前記空気排出部は、前記シンクの洗面器の隣に取り付けることができる単一の装備品の一部として組み込まれている、請求項１０に記載の装置。
【請求項１２】
前記ブロワモジュールは、前記連結ユニットのダクトを介して前記空気出口に接続するように構成される、請求項１０又は１１に記載の装置。
【請求項１３】
前記装置は、前記ブロワの吸気口を通って引き込まれる空気をフィルタ処理するためのエアフィルタを含むフィルタモジュールを更に備え、前記フィルタモジュールは、前記ブロワモジュールの前記吸気口に取り外し可能に結合可能であり、前記フィルタモジュールのモジュールを交換することができる、請求項９から１２のいずれかに記載の装置。
【請求項１４】
請求項２の記載の洗浄／乾燥ステーションを組み付ける方法であって、
ａ）前記連結ユニットを前記主電源にハードワイヤーする段階と、
ｂ）前記連結ユニットを前記給水本管に配管して、前記給水本管を前記流量制御弁で遮断する段階と、
ｃ）前記電気コネクタを係合して前記連結ユニットを前記ブロワモジュールに接続する段階と、
ｄ）前記流量制御弁の前記出口ポートを前記水出口に接続する段階と、
を含む、組み付け方法。
【発明の詳細な説明】
【技術分野】
【０００１】
本発明は、複合式洗浄／乾燥ステーションに関する。
【背景技術】
【０００２】
洗面所には手乾燥装置が取り付けられる場合が多い。
【０００３】
手乾燥装置は、直立型手乾燥装置として設けられる場合がある。ここでは、ユーザは、一般的にシンクの洗面器で手を洗い、次に、洗面所の他の場所に配置される場合が多い手乾燥装置の方に歩いて行って手を洗う。
【０００４】
一方、手乾燥装置は、複合式洗浄／乾燥ステーションの一部として一体化されており、ステーションは、洗浄水を排出し、次にユーザが洗面所の他の場所への移動を必要とすることなく、ユーザの手を乾かすために空気流を排出するようになっている。
【発明の概要】
【発明が解決しようとする課題】
【０００５】
本発明の目的は、洗面所の洗浄／乾燥ステーションの設置、修理、又は保守管理を改善することである。
【課題を解決するための手段】
【０００６】
本発明の第１の態様によれば、洗面所用の複合式洗浄／乾燥ステーションが提供され、ステーションは、ユーザの手を洗浄する水を排出する水出口を備え、水出口は、給水本管に接続され、ステーションは、ユーザの手を乾かす空気流を排出するための空気出口を更に備え、空気流は、電動ファンユニットを備えたブロワモジュールにより発生され、ブロワモジュールは、主電源に接続され、主電源への接続は、連結ユニットを介して行われ、連結ユニットは、主電源と連結ユニットの電気コネクタに接続してファンユニットに電源を供給する電気コネクタを含むブロワモジュールと配線で接続され、給水本管への接続は、同じ又は別の連結ユニットを介して行われ、連結ユニットは、給水本管に配管され、流量制御弁を含み、流量制御弁の入口ポートは、給水本管に接続され、流量制御弁の出口ポートは、水出口に接続される。
【０００７】
本発明によれば、ファンユニットは主電源に配線で接続されていない。むしろ、主電源への接続は、中間にある連結ユニットを介して行われる。この連結ユニットは、主電源に配線で接続され、次に、ファンユニットに対して、ブロワモジュール及び連結ユニットのそれぞれの電気コネクタを介して電気接続される。
【０００８】
同様に、給水本管への接続は、連結ユニットを介して行われる。これは、ファンユニットを主電源に接続するために使用するのと同じ連結ユニットとすること、又は別の連結ユニットとすることができる。いずれの場合も、この連結ユニットは、給水本管に配管され、給水本管と切り離すための流量弁を含む。
【０００９】
従って、本発明によれば、洗浄／乾燥ステーションの保守管理又は修理が簡単になる。ファンユニットは、電気コネクタを単に切り離すことにより主電源から切り離すことができ、ファンユニットを交換するために何らかの構成要素の配線に関与する必要がない。他方で、給水本管は、配管接続システムに停止弁を配置して閉じるのではなく（これは、給水本管を他の洗浄／乾燥ステーション等から遮断するという欠点がある）、流量弁で遮断することができるので、流量弁の下流での水回路部品の修理又は交換も同様に簡単になる。
【００１０】
コネクタの通電端子との偶発的な物理的接触を防止するか又は少なくとも低減するために、連結ユニットの電気コネクタは覆い隠すことができる。これにより、ファンユニットは、本記載の方法により主遮断装置で主電源を遮断することなくより安全に交換することができる。
【００１１】
「覆い隠す、包む（ｓｈｒｏｕｄｅｄ）」は、通電端子への物理的アクセスを阻止するように、コネクタの何らかの通電端子を何らかの方法でカバー又は隠蔽することを意味する。換言すれば、通電端子は「露出した」通電端子ではない。
【００１２】
また、電気コネクタを覆い隠すことにより、洗浄／乾燥ステーションの関連の構成要素の安全な「モジュール」設置が可能なる。従って、本発明の第２の態様によれば、連結ユニット上に覆い隠された電気コネクタを有する洗浄／乾燥ステーションを設置する方法が提供され、本方法は、ａ）連結ユニットを主電源に配線で接続する段階と、ｂ）連結ユニットを給水本管に配管する段階と、ｃ）電気コネクタを係合して連結ユニットをブロワモジュールに接続する段階と、ｄ）（閉じた）流量弁の出口ポートを水出口に接続する段階と、を含む。
【００１３】
設置は、段階ａ）は段階ｂ）とは独立して実施すること、及び／又は、段階ｃ）は段階ｄ）とは独立して実施することができる意味において、モジュール式である。「独立して」は、段階が異なる時間及び／又は異なる人により実施できることを意味している。
【００１４】
従って、例えば、段階ａ）及びｂ）は、新しい建物の初期建設段階において実施することができ、他方で、段階ｃ）及びｄ）は、プロジェクトのより適切な時間、例えば建物の装備を整える段階において実施することができる。
【００１５】
段階ａ）及びｂ）は、有資格電気技師及び有資格配管工により実施されることになる。しかしながら、段階ａ）及びｂ）の連結ユニットの設置に続いて、主電源は次に電気コネクタのシュラウドによって有効に絶縁され、同様に、給水本管は流量弁によって遮断される。その結果、一般の修理技術者又は設置者は、主電源又は給水本管を遮断することなく段階ｃ）及びｄ）を実施することができる。これにより、特に従業員が厳しく組織化された国、又は商業ビルの公共施設に関与するために種々の一時的許可又は認可を認める必要がある安全基準が厳しい国ではコスト低減につながる。
【００１６】
唯一の連結ユニットを備えることができ、給水本管への接続は、ファンユニットを主電源に接続したのと同じ連結ユニットによって行うことができる。これにより、ある場合には、連結ユニットの設置が簡単になり時間が短縮される。他方で、ある場合、例えばある国の規定が異な有資格専門家（例えば、有資格電気技師又は有資格配管工）による２つの連結ユニットの設置を要求する場合には、別個の連結ユニットを使用することが好ましい。
【００１７】
流量弁は、１つ又は複数のセンサが発生する信号に応答して自動的に作動する電磁弁等の電動式流量弁とすることができる。
【００１８】
連結ユニットは、連結ユニット内の密封された区画内に配置される１つ又はそれ以上の電気構成要素を備えることができる。これらは、電気コネクタへの電源に関連する高電圧構成要素とすること、及び／又は電磁弁及びセンサへの電源に関連する低電圧構成要素とすることができる。構成要素は、コントローラを組み込むこともできるＰＣＢ上に設けることができる。
【００１９】
区画内の構成要素を密封することは、水と通電構成要素との危険な接触を防止するのを助ける。これは、高電圧構成要素に対して特に重要である。
【００２０】
密封された区画は、区画内にアクセスするために取り外すことができる、取り外し可能なフロントカバーによって部分的に形成することができる。この場合、アクセスパネルは、フロントカバーに又はその一部として設けることができ、フロントカバーを取り外すことなく流量制御弁にアクセスできる。このことは、連結ユニットへの給水本管を必ずしも遮断をすることなく、給水本管への流量制御弁の接続及びその後の流量制御弁の保守管理を行うのを助ける。
【００２１】
流量弁は、水出口へ押し込み式で接続するように配置することができる。例えば、弁は、適切な押し込み式コネクタを備えることができ、水出口へのパイプ接続は、水出口からのパイプを押し込み式コネクタに押し込むことによって行うことができる。
【００２２】
ファンユニットは、８００Ｗを超える出力定格のモータを含むことができ、比較的低い基準電圧で運転が行われる特定の国においては「高出力」電源への接続を必要とする場合がある。
【００２３】
電気コネクタは、プラグ−ソケット式又はプラグ−ピン式コネクタとすることができる。
【００２４】
水出口は、水分配部に設けることができ、空気出口は、空気排出部に設けることができる。これらの部分は、シンクの洗面器に隣接して取り付けることができる単一の装備品として組み込むことができる。
【００２５】
ブロワモジュールは、連結ユニットのダクトを介して空気出口に接続するように構成することができる。空気出口が装備品の一部として設けられる場合、連結ユニットのダクトを装備品のダクトに接続するために空気ホースを設けることができる。
【００２６】
空気出口は、場合によっては１つ又はそれ以上の狭いスリットの形態のエアナイフ出口とすることができる。
【００２７】
ブロワモジュールの吸気口を通って引き込まれる空気をフィルタ処理するためのエアフィルタを含むフィルタモジュールを備えることができる。フィルタモジュールは、ブロワモジュールの吸気口へ取り外し可能に結合可能であり、フィルタモジュールはモジュール交換することができる。
本発明の実施形態は、以下に例示的に添付図面を参照して説明される。
【図面の簡単な説明】
【００２８】
【図１】洗面所の複合式洗浄／乾燥ステーションの斜視図である。
【図２】図１の複合式洗浄乾燥ステーションの断面である。
【図３】図１の複合式洗浄／乾燥ステーションで使用する装置の斜視図である。
【図４】ブロワ又はコンプレッサの分解図である。
【図５】ファンユニットの部分的に切り取った斜視図である。
【図６】図３の装置の一部を形成するファンユニットを組み込んだブロワモジュールの部分的に切り取った斜視図である。
【図７】ブロワモジュール内部のファンユニットのバネ懸架を示す部分的に切り取った斜視図である。
【図８】分離状態のファンユニットを示す斜視図であり、バネ懸架装置の構成を示す。
【図９】図８に対応する平面図である。
【図１０】図８及び図９に示すバネの１つに関する懸架装置の拡大図である。
【図１１】図３に示す装置に使用するフィルタモジュールの断面斜視図である。
【図１２】フィルタモジュールのブロワモジュールへの取り付けを示す部分的に切り取った斜視図である。
【図１３】図３の装置に使用する連結ユニットの斜視図である。
【図１４】図１３の連結ユニットを通る断面斜視図である。
【図１５】連結ユニットの一部を形成する裏板の斜視図であり、裏板に取り付けられた幾つかの構成要素を含む。
【図１６】連結ユニットの一部を形成するフロントカバーの斜視図であり、フロントカバーの内側を示す。
【図１７】図１５の裏板の前面図であるが、取り付けられた一部の構成要素は明確化のために取り除かれている。
【発明を実施するための形態】
【００２９】
複合式洗浄／乾燥ステーション
図１及び図２は、洗面所の複合式洗浄／乾燥ステーション１を示す。
【００３０】
洗浄／乾燥ステーション１には、ユーザの手を洗うための給水栓又は蛇口と、その後にユーザの手を乾かすための手乾燥装置とが組み込まれている。
【００３１】
水道蛇口は、シンク５の洗面器５ａの近くに取り付けられた装備品３の一部として組み込まれている。
【００３２】
装備品３は、シンク５の洗面器５ａの近くに位置する本体７と、本体７からシンク５の洗面器５ａ上に突出する噴出口９とを備えている。
【００３３】
必要に応じて、洗浄水は、主供給ライン（図示せず）から給水パイプ１１（図２）を経由して供給され、洗浄水は、本体７及び噴出口９の内部を流れて、噴出口９の先端部に設けられた下向きの水出口１３（図２）に至る。
【００３４】
給水栓は、従来型のセンサ及び制御ループ（図示せず）を利用して「ハンズフリー」作動するように構成され、水は、洗浄位置のユーザの手を検出して水出口１３から排出される。もしくは、給水栓は手動操作するように構成することもできる。
【００３５】
また、装備品３は、手乾燥装置の空気出口を備え、手乾燥装置は、空気ダクトとして本体７及び噴出口９の内部を利用して空気を空気出口に供給する。この場合、装備品には２つのエアナイフ出口１５が存在し、各手に１つのエアナイフ出口が対応する。エアナイフ出口は噴出口９の両側に設けられ、噴出口９から分岐する各供給ダクト１７に沿って延びている。
【００３６】
手乾燥装置は、従来型のセンサ及び制御ループ（図示せず）を利用して「ハンズフリー」動作するように構成され、乾燥位置（前記の洗浄位置と区別できる）のユーザの手を検出してファンユニットのスイッチを自動的に作動させるようになっている。次に、ファンユニットにより空気流は装備品３の中を通って送り込まれて、エアナイフ出口１５を通って流出してユーザの手を乾かすようになっている。もしくは、手乾燥装置は、手動操作するように構成することもできる。
【００３７】
ファンユニット２４は、分離状態で図５に示されている。これは図１及び図２のカウンタの上部の下側に隠れている下部組立体の一部を形成する。下部組立体１６は、図３に見ることができる。これは３つのモジュール構成要素の連結ユニット１９、フィルタモジュール２１、及びファンユニットを備えるブロワモジュール２３を備えている。
【００３８】
ファンユニット
ファンユニット２４は、遠心ブロワ又はコンプレッサ２５を備えている。
【００３９】
図４には遠心ブロワ２５の分解図が示されている。これは電気モータ（図示せず）を組み込んだ駆動ユニット２７、モータの出力軸に結合した遠心ファンインペラ２９、及びディフューザ３３を備えている。
【００４０】
空気は、遠心ファンインペラ２９により駆動ユニット２７の吸気口２７ａ（吸気口２７ａは、図４では見えないが、図６に見ることができる）を通ってブロワ２５内に軸方向に引き込まれる。
【００４１】
ディフューザ３３は、静圧回収のための複数のスワールベーンを組み込んだディフューザリング３１と、ディフューザリング３１に取り付けられて、矢印で示すように、インペラ２９からの空気流を、環状ファン出口３５ａを通って外に向けるディフューザキャップ３５とを備えている（図４には示されていないが、使用時、空気流にはファン出口３５ａを離れる際にある程度のスワール（旋回、渦）が残る場合がある）。
【００４２】
また、ファンユニット２４は、ディフューザキャップ３５に取り付けられるマニホールド３７を備えている。これは図５に示されている。マニホールド３７は、空気流を集めて、マニホールド３７の側面のノズル３９を通って半径方向に排出する（図７も参照されたい）。
【００４３】
ファンユニット２４は、ブロワモジュール２３の外側ケース４３に固定されたモータバケット４１の内側で垂直方向にバネ懸架されており、ファン出口３５ａは上向きであり（図７参照）、吸気口２７ａは下向きであり（図６参照）、インペラの軸線Ａ（以下「ファン軸線」）は垂直方向に延びている。
【００４４】
バネ懸架装置は、上方バネセット４５と、該上方バネセット４５から（ファン軸線に沿って）軸方向に離間した下方バネセット４７とを備えている。これらのバネセットは、図８に明示されている。
【００４５】
下方バネセット４７は、ファン軸線Ａの周りに等角度に離間した４つのコイル引張バネ４７ａ（そのうちの３つは図８に示されている）を備えている。各バネ４７ａは、ファン軸線Ａに沿ってファン軸線に対する平面角θ、この場合は３０度で延びている。従って、下方バネセットは、円錐角θ＝３０°である切頭円錐形構成に配置されている。切頭円錐形構成により、バネ４７ａは、軸方向及び半径向成分を有する荷重に抗することができる。各バネ４７ａは、均一の荷重支持応答性をもたらすために同じバネ定数κ＝１．１Ｎ／ｍｍ及び同じ長さｌ＝１２．７ｍｍを有する。
【００４６】
同様に、上方バネセット４５は、ファン軸線の周りに等角度に離間した４つのコイル引張バネを備えている。各バネは、２つ毎の２つのグループに配置され、２つは相対的に固いバネ４５ａ（κ＝７．５Ｎ／ｍｍ、ｌ＝１２．７ｍｍ）であり、２つは相対的に弱いバネ４５ｂ（κ＝１．１Ｎ／ｍｍ、ｌ＝１２．７ｍｍ）である。２つのグループの各バネは、図９に示されている。
【００４７】
２つの相対的に弱いバネ４５ｂは、円錐角θ＝３０°である第１の切頭円錐形構成で配置されている。この構成は、第１のばねセットの切頭円錐形構成の逆になっており、ファンユニット２４を軸方向で双方向に支持することができる。
【００４８】
２つの相対的に固いバネ４５ａは、第２の切頭円錐形構成で配置されている。第２の切頭円錐形構成の円錐角αは、ファン軸線Ａに対するバネ４５ａの平面角に対応し、第１の切頭円錐形構成の円錐角θとは異なる。この場合α＝５０°である。
【００４９】
固いバネ４５ａは、マニホールド３７の排出ノズル３９と同じ側のファンユニット２４に配置されている。弱いばね４５ｂは、ファンユニット２４の反対側に配置されている。これにより、上方バネセット４５は双方向の非対称な応答性をもつことができ、固いバネ４５aは、空気流がノズル３９を通って排出される際にファンユニット２４に作用する横方向の反動力に抗するために、特に始動時にファンユニット２４の「反動」を制御するために「ハード」な応答性をもたらすが、弱いばね４５ｂは、反対方向により柔軟な「ソフトな」応答性をもたらし、ブロワ２５の始動後の定常状態で発生する振幅の小さな振動を減衰するのにより適している。
【００５０】
引張バネの代わりに圧縮バネを使用できるが、引張バネは、無負荷長さが相対的に短いという利点をもたらす。
【００５１】
バネ４５ａ、４５ｂ、４７ａは、無負荷状態でコイル密着して、バネの無負荷長さを最小にするようなっている。バネに作用する圧縮荷重を低減するために、各バネ４５ａ、４５ｂ、４７ａの両端は枢動可能に取り付けられている。図７及び図１０にはマウント装置が示されており、この場合、固いバネ４５aの１つに関して示されている。同じ装置が他のバネ４５ｂ、４７ａの各々に対して使用されている。バネ４５ａは、ループ状の端部を有し、一端がファンユニット２４にねじ留めされたワッシャ５１によって、他端がモータバケット４１の壁に形成された溝にスナップ嵌めされたスナップリング５３によって所定位置に固定されている。この装置により、バネ４５ａはある程度枢動運動でき、モータバケット４１及びファンユニット２４は、バネ４５ａに過剰な圧縮荷重を与えることなく相対変位可能である。
【００５２】
モータバケット４１は、ブロワモジュール２３の外側ケース４３内に収容されている。ブロワモジュール２３のための吸気口として機能するグリル５５（図６）は、ファンユニット２４の吸気口２７ａに隣接してモータバケット４１の底部に設けられている。
【００５３】
フィルタモジュール
図１１には分離状態のフィルタモジュール２１が示されており、図１２ではブロワモジュール２３に結合されている。
【００５４】
フィルタモジュール２１は、フィルタ６１を収容するフィルタケース５９を備えている。
【００５５】
フィルタケース５９はチャンバ６３を備えている。チャンバ６３の一端には、フィルタケース５９の下端面５９ａに形成された空気流入口がある。チャンバ６３の他端には、フィルタケース５９の上端面５９ｂに形成された空気流出口がある。
【００５６】
フィルタケース５９への空気流入口は、一連の吸気スロット６５を備える「ルーバー状」入口である。空気流出口は、上端面５９ｂの中心に形成された円形出口６７である。
【００５７】
上端面５９ｂは周囲に溝付け(rebated) され、使用時にブロワモジュール２３の下端と嵌め合い係合する（溝部６９は、図１１に示されている）。グリル５５の周囲のシール７１は、出口６７の周りでフィルタケース５９の上端面５９ｂをシールする。従って、空気流は、ブロワモジュール２３にフィルタケース５９内部のチャンバ６３を通って引き込まれ、出口６７及びグリル５５を通ってブロワモジュール２３に流出する。フィルタモジュール２１は留め具７３（図３）を備え、ブロワモジュール２３の留め面に引っかかってフィルタモジュール２１をブロワモジュール２３に固定するようになっている。
【００５８】
フィルタ６１はフィルタケース５９内部に配置され、単にチャンバ６３の内側を覆うのではなく、チャンバ６３を区分化するようになっている。従って、チャンバ６３を通過する空気流は、必ずフィルタ６１を通過することになる。
【００５９】
フィルタ６１はＨＥＰＡフィルタであり、フリース層６１ａ及びＴｅｃｈｎｏｓｔａｔ（登録商標）等のＨＥＰＡ媒質層６１ｂを備えている。フィルタ６１の正確な構成は種々とすることができる。
【００６０】
チャンバ６３は、膨張チャンバとして作用し、ファンユニット２４から生じてグリル５５を通って逆行する音響伝播（音響は空気流とは反対方向に伝播する）を消音するのを助ける。
【００６１】
最初の試験では、フィルタ６１の音響インピーダンスは、膨張チャンバのローパスカットオフ周波数を下げることにより音響性能に好都合に影響することが示唆され、結果的に、膨張チャンバ６３の音響インピーダンスとフィルタ６１とが相互作用して、良好に機能するローパス音響フィルタが提供される。このカットオフ周波数の低下は、低い周波数の騒音が吸気スロット６５を通って外部に伝達されることを抑制するのを助ける。
【００６２】
カットオフ周波数の低下は、手乾燥装置の内部のフィルタ６１の固有音響インピーダンスをうまく利用することで、エアナイフ出口１５の出口空気速度を損なうことなく及びチャンバ６３の全長Ｌを長くすることなく達成される。
【００６３】
連結ユニット
連結ユニット１９は、従来型の壁固定具を使用して壁に取り付けられるように構成される。一般的に、連結ユニット１９は、カウンタ上面の下方に配置されることになるので、ユーザから隠れる。
【００６４】
連結ユニット１９は、種々の接続部のハブとして機能する。第１に、連結ユニット１９は、装備品３の水出口１３を給水本管（図示せず）に接続する。第２に、連結ユニット１９は、ブロワモジュール２３（及び種々の他の構成要素）を主電源（図示せず）に接続する。第３に、連結ユニット１９は、装備品３のエアナイフ出口１５をファンユニット２４の排出ノズル３９に接続する。
【００６５】
空気接続
エアナイフ出口１５は、連結ユニット１９の最上部を通って延びる屈曲ダクト７３を介してファンユニット２４の排出ノズル３９に接続される。この屈曲ダクトは、図１４に示されている。エアナイフ出口１５は、空気ホース７５（図３）を介して屈曲ダクト７３の一端に接続する。この空気ホース７５は、上端が装備品３の本体７に接続され、下端が屈曲ダクト７３の端部７３ａに接続される。ブロワモジュール２３の排出ノズル３９は、可撓性シールにより屈曲ダクト７３の反対側の端部７３ｂにシールされる。
【００６６】
使用時、空気は、ブロワモジュール２３から屈曲ダクト７３に排出され、次に、結果的にエアナイフ出口１５を通って流出される前に、空気ホース７５から中空本体７に運ばれる。
【００６７】
弾性のある滑り留め具７７は、連結ユニット１９のフロントカバー７９に設けられている。留め具７７はバネ付勢され、ブロワモジュール２３を連結ユニット１９に固定するために、ブロワモジュール２３の引っかかり突起（図示せず）とロック係合するようになっている。留め具７７は、屈曲ダクト７３の各端部７３ｂに対して排出ノズルをシール係合状態に保持する。
【００６８】
留め具を手動で解除するためにプッシュロッド７９が設けられており、プッシュロッド７９は使用時にはブロワモジュール２３及びフィルタモジュール２１の裏側に隠れて許可なくいじれないようになっているが、ブロワモジュール２３の取り外しが必要な場合には、連結ユニット１９の下部からアクセスして留め具７７を解除できるようになっている。
【００６９】
給水接続
給水本管への接続は、電動式流量弁、この場合は連結ユニット１９内に収容される電磁弁８１を経由する。電磁弁８１の入口ポート８１ｂは、給水本管に配管され、配管が済むと、電磁弁８１は、連結ユニット１９において給水本管を切り離す流量弁として作用する。
【００７０】
水出口１３は、可撓性の給水パイプ１１（図２）を経由して電磁弁８１の出口ポート８１ａに接続しており、給水パイプ１１は、空気ホース７５内を通って延び、屈曲ダクトの壁の孔を通って外部に引き回される（可撓性の給水パイプは、図１５には実際に示されていない）。屈曲ダクト７３の壁と可撓性給水パイプ１１との間に空気密閉機能をもたらすためにシール用グロメットが使用される。
【００７１】
可撓性給水パイプ１１は、従来の押し込み方式で電磁弁８１の出口ポート８１ａと係合する。
【００７２】
電源接続
電源接続は、連結ユニット１９内に収容されたＰＣＢ８３によって行われる。
【００７３】
ＰＣＢ８３は、連結ユニット１９内の密封された「乾燥区画」８５内に収容されている。この構成により、ＰＣＢ８３は電磁弁８１から隔離される。その結果、電磁弁８１が故障しても水はＰＣＢ８３上に漏洩し難くなっている。
【００７４】
区画８５は、２つの部分からなる組立体である。区画８５の第１の部分は、連結ユニット１９の裏板８７に設けられた矩形の内側の外壁８７ａを備えている。ＰＣＢ８３及びその他の電気部品は、外壁８７ａの境界内で裏板８７上に取り付けられている。区画８５の第２の部分は、裏板８７に嵌合する連結ユニット１９のフロントカバー７９の内側に設けられる（図１６）。区画の第２の部分は、裏板８７上の外壁８７ａの外側に嵌合する外壁７９ａを備え、２つの外壁７９ａ、８７ａは、外周ラビリンスシールを形成するようになっている。これにより、区画８５は、水の進入に対して有効にシールされる。
【００７５】
水の進入に対する追加の予防策として、外側の外壁８７ｂが裏板８７上に設けられている。外側の外壁８７ｂは、フロントカバー７９上の外壁７９ａの外側の周りに延びるので、３つの外壁７９ａ、８７ａ、及び８７ｂは、一緒になって区画８５の周囲に二重ラビリンスシールを形成する。この特定の構成において、中間の外壁７９ａの第４の側面が連結ユニット１９の外壁の一部を形成するので、外側の外壁８７ｂは内側の外壁８７ａの３つの側面でのみ延びているが、別の方法として、必要に応じて、外側の外壁は、それぞれの内側の外壁の周り全体にわたって延びることができる。
【００７６】
ガスケット９１は、裏板８７上に設けられ（図１７）、内側の外壁８７ａと外側の外壁８７ｂとの間の溝内に延在している。このガスケット９１は、中間の外壁７９ａの端部に対するシールを形成して、ラビリンスシールを通る水の進入の可能性を更に低下させる。ガスケット９１は、区画８５の周辺全体にわたって延びることができるが、この場合、周辺を部分的にのみ延びて、内側の外壁８７ａと外側の外壁８７ｂとの間に排水口９３を配置することが可能になっている。これらの排水口９３は、区画８５の周辺のどこかにシール不具合がある場合に、区画８５が水で満たされるのを防止するオーバーフロー出口として機能する。排水口９３は、使用時に連結ユニットが正常な方向（図１４から図１７に示す方向）にある場合、区画８５の底部にあるように配置される。
【００７７】
ＰＣＢ８３の高電圧側は、区画８５の外壁のケーブル接地部９７を経由して外部に延びる主配線ルーム（ｌｏｏｍ）９５を経由して主電源に配線で接続される。ケーブル接地部９７は、ルーム９５の周りをシールして水が区画８５に進入するのを防止するようになっている。
【００７８】
本明細書において、用語「配線で接続される(ハードワイヤー, hard-wired)」は、何らかの永久的又は半永久的な電気接続を包含する包括的な用語であることが意図されている。接続は、特に配線を経由する必要はない。
【００７９】
ソレノイド及び装備品３のセンサは、シール用グロメット９９ａ、１０１ａを通って外部に延びて水が区画８５に進入するのを防止する、それぞれの配線ルーム９９、１０１を経由して区画８５内のＰＣＢ８３の低電圧側に接続される。ソレノイド８１及びセンサへの接続は、配線ルーム９９、１０１の端部に設けられたそれぞれのプラグコネクタ９９ｂ、１０１ｂを経由しており、ソレノイド８１及びセンサは、ＰＣＢ８３に配線で接続されない。これにより、センサ及びソレノイド８１は、保守又は交換のために容易に取り外すことができる。
【００８０】
同様に、ブロワモジュール２３は、ＰＣＢ８３に配線で接続されない。その代わりに、接続は、ＰＣＢ８３の高電圧側に配線で接続されるピンソケット１０３を経由する。ブロワモジュール２３には相補的なピンコネクタ１０５（図１２に示す）が設けられており、ピンソケット１０３にプラグで接続するようになっている。ブロワモジュール２３は修理又は交換のために主電源から容易に取り外すことができる。
【００８１】
ピンソケット１０３は覆い隠されている。シュラウド１０３ａ、この場合にはゴム製マスクは、電磁弁８１が故障した場合に水の進入を防ぐのに役立つが、ブロワモジュール２３が存在しない場合にソケットピン１０３が、高電圧の通電端子と偶発的に接触するのを防ぐのにも役立つ。
【００８２】
設置／保守整備
連結ユニット１を設置するには、ＰＣＢ８３の高電圧側を主電源に接続すること、及び電磁弁８１を給水本管に接続することが必要である。
【００８３】
ＰＣＢ８３の高電圧側を主電源に接続するには、連結ユニット１９のフロントカバー７９を取り外して区画８５内にアクセスする必要がある。従って、通電部品に水が接触するのを防止するために、これは電磁弁８１を給水本管に接続する前に行うことが好ましい。
【００８４】
フロントカバー７９を元に戻すと、区画８５は水の進入に対してシールされ、その後、給水本管への接続は、連結ユニット１９への主電源を遮断することなく安全に行うことができる。このことは、主電源の遮断には許可が必要な場合が多い大型商業ビルで特に好都合であり、ここでは、主電源への最初の接続の後しばらくして、有資格電気技師ではなく有資格配管工によって給水本管に接続することが望ましく、主電源を遮断するために多くの許可を要求する費用は負担となる。
【００８５】
連結ユニット１９の設置は、例えば、新しいビルの建設段階の間に、初期の設置段階の一部を成すことができる。このような環境では、ビルの「装備を整える」まで、装備品３の設置を遅らせることが好ましい。その一方で、電磁弁８１は、連結ユニットを給水本管から有効に切り離し、覆い隠されたピンソケット１０３は、通電端子との物理的な接触のリスクを低減する。
【００８６】
アクセスパネル１０７は連結ユニット１９のフロントカバー７９に設けられ、フロントカバー７９を取り外すことなく電磁弁８１にアクセスできるようになっている。その後の装備品３の設置の間に、このパネル１０７は、給水パイプ１１を電磁弁８１の出口ポート８１ａに押し込むためにアクセスすることができる。
【００８７】
また、低電圧側のプラグコネクタ９９ｂ、１０１ｂは、アクセスパネル１０７を介してアクセスすることができ、同様に連結ユニット１９のフロントカバー７９を取り外すことなく、電磁弁８１及びセンサケーブル（図示せず）に接続することができる。
【００８８】
空気ホース７５は屈曲ダクト７３の外部に接続するので、連結ユニット１９内へのアクセスを必要とすることなく空気ホースを嵌合することができる。空気ホース７５は、１つ又は複数のケーブル結合（図示せず）を利用して所定の位置に単純に固定することができる。
【００８９】
ブロワモジュール２３及びフィルタモジュール２１は、単に連結ユニット１９とドッキングさせることによって組み込まれる。ピンコネクタ１０５は、ピンソケット１０３に係合して、ファンユニット２４に電源を供給する。排出ノズル３９は、屈曲ダクト７３の端部と係合して、ファンユニット２４を装備品３のエアナイフ出口１５に接続する。ブロワモジュール２３は、連結ユニット１９の留め具７７によって所定位置に保持されている。
【００９０】
ブロワモジュール２３は、好ましくは装備品３よりも後で設置されるので、ブロワモジュール２３はアクセスパネル１０７へのアクセスを妨げないが、フィルタモジュール２３がすでに組み込まれている場合、連結ユニット１９の留め具７７を単に解除することにより容易に取り外すことができ、装備品３の設置が可能になる。
【００９１】
設置した後で、アクセスパネル１０７は、フロントカバー７９を取り外すことなく、電磁弁８１に保守、点検、又は修理のためにアクセスすることを可能にする。
【符号の説明】
【００９２】
１  洗浄／乾燥ステーション
３  装備品
１３  水出口
１５  エアナイフ出口
１４  ファンユニット
１９  連結ユニット
２３  ブロワモジュール
８１ｂ  入口ポート
８１ａ  出口ポート
【図１】
2014108360.tif 000003
【図２】
2014108360.tif 000004
【図３】
2014108360.tif 000005
【図４】
2014108360.tif 000006
【図５】
2014108360.tif 000007
【図６】
2014108360.tif 000008
【図７】
2014108360.tif 000009
【図８】
2014108360.tif 000010
【図９】
2014108360.tif 000011
【図１０】
2014108360.tif 000012
【図１１】
2014108360.tif 000013
【図１２】
2014108360.tif 000014
【図１３】
2014108360.tif 000015
【図１４】
2014108360.tif 000016
【図１５】
2014108360.tif 000017
【図１６】
2014108360.tif 000018
【図１７】
2014108360.tif 000019